(57)【要約】      （修正有）【課題】足場の有無や位置にかかわらず、桁下面にパネルを取付けできるパネル取付用治具の提供。【解決手段】構造物の桁の下に取付梁１を設け、前記桁の下面を覆うパネルを前記取付梁１の下面に宛がわれた状態に固定する際に、前記パネルを前記取付梁１に仮置きするために使用するパネル取付用治具３１は、前記パネルに着脱自在であり、前記パネルに取付けた際にそのパネルの上面から上方に突出する立上部３１ｂと把持部３１ａを有し、前記立上部３１ｂには係止手段３０を備えている。前記パネルは把持部３１ａで支えて吊り下ろし可能であり、係止手段３０は前記パネルを前記取付梁１に係止する機能を有する。前記パネル３が係止手段３０により前記取付梁１に仮置きされ、前記パネルが前記取付梁１に固定された後は、パネル取付用治具３１を前記パネルから取り外すことができる。【選択図】図２
2010065468.tif 000002
【特許請求の範囲】
【請求項１】
桁構造を有する構造物の桁（２）の下に取付梁（１）を設け、その取付梁（１）に、前記桁（２）の下面を覆うパネル（３）を前記取付梁（１）の下面に宛がわれた状態に固定する際に、その固定前に、前記パネル（３）を前記取付梁（１）の所定位置に仮置きするために使用するパネル取付用治具（３１）であって、
前記パネル（３）に着脱自在で、前記パネル（３）に取付けた際にそのパネル（３）の上面から上方に突出する立上部（３１ｂ）とその立上部（３１ｂ）に設けた把持部（３１ａ）を有し、前記立上部（３１ｂ）には係止手段（３０）を備えており、前記パネル（３）はその把持部（３１ａ）によって支えられながら吊り下ろし可能で、その係止手段（３０）は、前記取付梁（１）に係止可能でその係止により前記パネル（３）が前記取付梁（１）から落下することを阻止する機能を有し、前記パネル（３）は、その係止手段（３０）による係止によって前記取付梁（１）の所定位置に仮置きされ、前記パネル（３）が前記取付梁（１）に固定された後は、前記パネル（３）から取り外すことができることを特徴とするパネル取付用治具。
【請求項２】
前記係止手段（３０）は、前記パネル（３）を弾性をもって前記取付梁（１）に係止する機能を有することを特徴とする請求項１に記載のパネル取付用治具。
【請求項３】
前記係止手段（３０）は、前記立上部（３１ｂ）から側方に突出し前記取付梁（１）の上向き面に係止される係止部材（３０ａ）を備え、その係止部材（３０ａ）の前記取付梁（１）に向かう方向への突出長さを可変としたことを特徴とする請求項１又は２に記載のパネル取付用治具。
【請求項４】
前記取付梁（１）は、上フランジ（１ａ）と下フランジ（１ｂ）と、その上下フランジ（１ａ，１ｂ）間を結ぶウェブ（１ｃ）とを有し、前記パネル（３）は前記下フランジ（１ｂ）に係止され、その後、前記下フランジ（１ｂ）の下面に宛がわれた状態に固定されることを特徴とする請求項３に記載のパネル取付用治具。
【請求項５】
前記パネル（３）は、その上面に開口する係止孔（３ａ）を有し、前記立上部（３１ｂ）の下端は前記係止孔（３ａ）に係止可能で、その係止により前記取付梁（１）に着脱可能であることを特徴とする請求項１乃至４のいずれかに記載のパネル取付用治具。
【発明の詳細な説明】
【技術分野】
【０００１】
この発明は、橋梁や高架橋など桁構造を有する構造物において、その構造物の桁にパネルを取付ける際に使用するパネル取付用治具に関するものである。
【背景技術】
【０００２】
橋梁や高架橋等の桁構造を有する構造物には、その桁構造物の下を通行する車両の騒音が、桁下面で反射して周囲に拡がるのを防止するために、吸音性を有する吸音パネルが取付けられる。また、桁下面の美粧化を目的として、化粧パネルが取付けられる場合もある。
【０００３】
これらのパネルの取付構造について説明すると、例えば、図１０に示すように、床板４を支えるＩ形断面の桁２の下に、固定用治具５を用いて取付梁１を設置する。取付梁１は、複数本が並行に又は格子状に設けられ、その相対する取付梁１間に掛け渡すようにパネル３が固定される。
【０００４】
通常、このパネル３の取付け箇所は高所であるために、例えば、図１１（ａ）（ｂ）に示すように、桁２の下に足場６を組んで施工される。図１１（ａ）は、足場６上で作業者が取付梁１を桁２に固定する作業状況を示し、図１１（ｂ）は、その足場６上で作業者がパネル３を持ち上げて、取付梁１に固定する作業状況を示している。
足場６は、地上から立ち上げられる場合もあるが、桁２の下に道路などが通っている場合、足場６はこのように桁２から吊りおろされる（例えば、特許文献１、２又は３参照）。
ただし、図１１（ａ）では、足場６を吊るワイヤは、桁２から吊り下ろされているが、図１１（ｂ）の段階では、桁２から吊されたワイヤが邪魔になってパネル３が取付けられないため、ワイヤを横梁１５から吊るようにもり替えされている。
【０００５】
また、取付梁１へのパネル３の取付構造としては、例えば、図７に示す固定手段２０を用いたものが挙げられる（例えば、特許文献４参照）。
さらに、パネル３を、取付梁１に対してばね板を介して取付ける方法もある（例えば、特許文献５参照）。
【０００６】
【特許文献１】特開平１１−１８１７１８号公報
【特許文献２】特開平１１−１８１７２６号公報
【特許文献３】特開２００４−０５２３８２号公報
【特許文献４】特開２００４−１５６３９２号公報
【特許文献５】特開２００１−１２３４１８号公報
【発明の開示】
【発明が解決しようとする課題】
【０００７】
従来、桁２へのパネル３の取付けは、前述のように、桁２の下に足場６を組んで、その足場６上で作業者が手作業で行っていた。
【０００８】
しかし、桁２の下に道路が通っている場合等は、足場６のスペースを確保できない場合がある。これは、例えば、桁２の下に足場６を設けることで、その下を通る道路の建築限界を支障してしまう場合などが該当する。このような場合は、下を通る道路の通行止めを行ってその道路上に足場６を組み、通行止めの時間内にパネル３の取付けを行っていた。
【０００９】
このような道路の通行止めはいつでも許可されるものではなく、その通行止めの許可を待つことで工期に影響することがある。工期が伸びることは、好ましくない。また、足場６を設けることができる場合であっても、パネル３の取付けに充分な離隔を取付梁１と足場６との間に確保できない場合もある。
このため、桁２の下に足場６を設けることなく、あるいは、足場６の位置にかかわらず、パネル３の取付け作業ができることが望ましい。
【００１０】
そこで、この発明は、足場の有無や位置にかかわらず、取付梁にパネルを取付けできるようにすることを課題とする。
【課題を解決するための手段】
【００１１】
上記の課題を解決するために、この発明は、桁構造を有する構造物の桁の下に取付梁を設け、その取付梁に、前記桁の下面を覆うパネルを前記取付梁の下面に宛がわれた状態に固定する際に、その固定前に、前記パネルを前記取付梁の所定位置に仮置きするために使用するパネル取付用治具であって、前記パネルに着脱自在で、前記パネルに取付けた際にそのパネルの上面から上方に突出する立上部とその立上部に設けた把持部を有し、前記立上部には係止手段を備えており、前記パネルはその把持部によって支えられながら吊り下ろし可能で、その係止手段は、前記取付梁に係止可能でその係止により前記パネルが前記取付梁から落下することを阻止する機能を有し、前記パネルは、その係止手段による係止によって前記取付梁の所定位置に仮置きされ、前記パネルが前記取付梁に固定された後は、前記パネルから取り外すことができることを特徴とするパネル取付用治具の構成を採用した。
【００１２】
このようにすれば、パネルを吊り下ろして、そのパネルを取付梁に固定するまでの間、パネルが取付梁から落下しないように、その取付梁にパネルを仮置きすることができる。パネルが取付梁に仮置きされているから、そのパネルの取付梁への固定は、その仮置き状態で（落下が阻止された状態で）行うことができる。
このように、パネルを吊り下ろして取付梁に仮置きすることが可能で、その仮置き状態でパネルの取付梁への固定作業が可能となることから、足場の有無や位置にかかわらず、取付梁へのパネルの取付けが可能となる。
【００１３】
この構成において、前記係止手段として、前記パネルを弾性をもって前記取付梁に係止する機能を有する構成を採用することができる。
パネルが係止手段の弾性をもって取付梁に係止されていれば、パネルや取付梁の損傷を回避し、パネルが取付梁より落下することを阻止することができる。
【００１４】
また、前記係止手段は、前記立上部から側方に突出し前記取付梁の上向き面に係止される係止部材を備える構成とし、その突出する係止部材の取付梁に向かう方向への突出長さを可変とした構成を採用することができる。この突出長さを変える手法としては、例えば、係止部材のパネルに対する向き（方位）を変える、あるいは、その係止部材自身が弾性変形可能な素材である場合には、その素材の弾性変形によって前記突出長さが変化する構成とすることができる。この突出長さの変化によって、パネルを取付梁に係止する際に、その係止部材と取付梁との干渉を防ぐことができる。
【００１５】
また、これらの各構成において、前記取付梁として、上フランジと下フランジと、その上下フランジ間を結ぶウェブとを有し、前記パネルは前記下フランジに係止され、その後、前記下フランジの下面に宛がわれた状態に固定される構成を採用することができる。
【００１６】
さらに、前記パネルは、その上面に開口する係止孔を有し、前記立上部の下端は前記係止孔に係止可能で、その係止により前記取付梁に着脱可能である構成とすることができる。その係止方法としては、例えば、前記立上部の下端を前記係止孔にねじ込んで固定する手法が挙げられる。
【発明の効果】
【００１７】
この発明は、パネルを吊り下ろして、そのパネルを取付梁に固定するまでの間、パネルが取付梁から落下しないようにその取付梁にパネルを仮置きすることができるので、足場の有無や位置にかかわらずパネルの取付けが可能となる。
【発明を実施するための最良の形態】
【００１８】
この発明の実施形態を、図面に基づいて説明する。図１乃至図３は、橋梁の桁２の下に設けられた取付梁１に、パネル３を取付ける際の状況を示す説明図である。また、図４乃至図６は、その取付けの際に用いるパネル取付用治具３１の詳細図、図７（ａ）（ｂ）は、パネル３と取付梁１とを固定するための固定手段２０等の詳細図である。
【００１９】
なお、この実施形態では、この固定手段２０に関し、従来例と同様のものを採用しているが、他の構成からなる固定手段２０を採用してよい。また、桁２に対する取付梁１の固定構造に関しても、周知の他の固定構造を採用してよい。
以下、この取付梁１へのパネル３の取付けについて、図８（ａ）（ｂ）の取付梁１の設置例をもとに説明する。
【００２０】
この実施形態では、桁２は、図８（ａ）に示すように、上フランジ２ａと下フランジ２ｂ、及びその上下フランジ２ａ，２ｂ間を結ぶウェブ２ｃとを備えたＩ桁で構成されている。
【００２１】
取付梁１は、その桁２の伸びる方向、すなわち、橋軸方向に沿って長い縦梁１４と、橋軸直角方向に向く横梁１５とが格子状に組まれた形態となっている。縦梁１４は桁２の下フランジ２ｂの直下に位置し、横梁１５は、その縦梁１４の長さ方向に沿って数カ所に設けられている。
【００２２】
その取付梁１の縦梁１４及び横梁１５は、それぞれ、上フランジ１ａと下フランジ１ｂと、その上下フランジ１ａ，１ｂ間を結ぶウェブ１ｃとを有すＨ形鋼であり、図８（ａ）に示すように、固定用治具５を介して桁２に取付けられる。
【００２３】
この取付梁１の桁２への取付け作業は、図１１（ａ）の作業方法と同じく、図１１（ａ）に示すように吊された足場６上において作業者が行う。続いて、図８（ａ）又は図８（ｂ）に示すように、その同じ足場６上において、作業者が、取付梁１へのパネル３の取付け作業を行う。なお、図１１（ｂ）の段階では、桁２から吊されたワイヤが邪魔になってパネル３を取り付けられないため、ワイヤを横梁１５から吊るようにもり替えしてもよい。
【００２４】
なお、下方の空間確保等の都合上、取付梁１の下面と足場６の上面との間の離隔Ｈが小さい場合、図８（ａ）中に示すように、隣り合う横梁１５，１５間に板材等を掛け渡して仮足場６’を形成し、その仮足場６’上で、取付け梁１へのパネル３の取付け作業を行う場合もある。また、既に取付けたパネル３がある場合は、そのパネル３上に立って作業する場合もある。
このようにするのは、取付梁１の下面と足場６の上面との間の離隔Ｈが小さいと、パネル３を足場６上から持ち上げて設置することが困難だからである。
【００２５】
また、例えば、パネル３と足場６とが直接当たって干渉するほどに離隔Ｈが小さい場合、パネル３を取付ける前に足場６を撤去する必要がある。または、足場６のもり替えに手間がかかると判断される場合も考えられる。このような場合には、図８（ｂ）に示すように、前記足場６を撤去してからパネル３の取付け作業を行ってもよい。
【００２６】
このパネル３の取付け作業に際し、パネル３の吊り下げ、位置合わせには、図１に示すように、パネル３に着脱可能なパネル取付用治具３１を用いる。
【００２７】
パネル取付用治具３１は、把持部３１ａと立上部３１ｂとからなるＬ字状の部材であり、図１に示すように、その立上部３１ｂの下端を前記パネル３に設けた係止孔３ａにねじ込んで固定できるようになっている。この実施形態では、係止孔３ａは、図１に示すように、パネル３の長手方向両端に設けられているので、パネル取付用治具３１はパネル３の長手方向両端に固定することができる。
【００２８】
この状態で、複数の作業者がパネル取付用治具３１の把持部３１ａをそれぞれ掴んで、パネル３を所定位置まで吊下ろす（図２（ａ）参照）。
【００２９】
パネル取付用治具３１には係止手段３０が備えられている。この係止手段３０は、図２（ｂ）に示すように、パネル３を吊り下ろした際に、下フランジ１ｂの上面に係止される係止部材３０ａと、その係止部材３０ａを前記立上部３１ｂに固定する対の固定部材３０ｂ，３０ｂとで構成されている。
【００３０】
固定部材３０ｂは、図２に示すように、屈曲した板状部材が２枚１組で用いられ、それぞれ、根元部３０ｃに設けられた挿通孔３０ｄ（図６参照）に前記立上部３１ｂが挿通されて、上下のナット３１ｃ，３１ｃで締付けられて固定される。
【００３１】
また、係止部材３０ａは、前記両固定部材３０ｂ，３０ｂの先端部３０ｅ，３０ｅ間に挟まれて、挿通孔３０ｇ，３０ｆ（図６参照）に挿通されたボルト３２がナット３２ａで締付けられて固定されている。係止部材３０ａは、固定部材３０ｂよりも板厚が薄く、相対的に大きな変形を許容する板状部材となっている。
【００３２】
吊下ろしたパネル３を，図２（ａ）に示す位置から矢印の方向へ引き上げる際に、係止部材３０ａは下フランジ１ｂに当たって、図２（ｂ）に鎖線で示すように、その突出長さ（取付梁１に向かう方向への突出長さ）が縮小するように弾性変形する。図中の符号Ｌは弾性変形していない状態の前記突出長さ、符号Ｌ’は弾性変形した際の前記突出長さを示す。
この弾性変形により、係止部材３０ａは、下フランジ１ｂを容易に下方から上方へ通過することができる。すなわち、係止部材３０ａの弾性変形によるばね作用で、パネル３を取付梁１の下方から上方へ持ち上げる操作が容易である。
【００３３】
前記係止手段３０が前記取付梁１の下フランジ１ｂの上面に係止されることにより、前記パネル３が前記取付梁１から落下することが阻止されるようになる。係止手段３０は、パネル３が取付梁１から落下しないように支える機能を有している。
また、その係止手段３０の係止によって、前記パネル３は前記取付梁１の所定位置に仮置きされる。この状態で、パネル３の上面と下フランジ１ｂの下面とは向かい合った状態である（図２（ｂ）参照）。
【００３４】
なお、この仮置き状態で、係止部材３０ａが弾性変形することにより、パネル３は取付梁１に対して弾力をもって支持される。また、この状態で、パネル取付用治具３１を掴む手を離しても、パネル３は取付梁１に係止されているので落下しない。
【００３５】
つぎに、パネル取付用治具３１をやや持ち上げてパネル３を橋軸方向又は橋軸直角方向に横移動させることにより、パネル３の取付梁１に対する位置合わせを行うことができる。この位置合わせを行った後、パネル３を持ち上げてそのパネル３の上面を下フランジ１ｂの下面に接触させる。この状態で、固定手段２０によりパネル３を取付梁１に固定する（図２（ｃ）参照）。
【００３６】
この実施形態では、前記固定手段２０として、図７に示す従来例と同様のものを用いており、締付け手段として、ボルト７及びナット７ａとが用いられる。
【００３７】
その図７に示すように、ボルト７は、その頭部７ｂがパネル３に設けた断面Ｔ字状の長孔３ｂ内に収納される。この長孔３ｂは、奥部に形成されて前記頭部７ｂを収容可能な嵌合部３ｃと、その嵌合部３ｃの上方に位置し前記頭部７ｂが通り抜けない幅の係止部３ｄとからなる。
ボルト７の軸部７ｃは前記係止部３ｄを通ってパネル３の上面から突出しており、また、頭部７ｂは係止部３ｄを通過できないので、そのボルト７は上方へ抜け止めされている。また、ボルト７は、パネル３の長手方向（図７（ａ）に示す左右方向）へスライド可能である。
【００３８】
また、取付梁１の下フランジ１ｂには、前記ボルト７の軸部７ｃが挿通される長孔１ｄが形成されている。長孔１ｄは、前記取付梁１（横梁１５）の長さ方向に形成されているので、図５に示すように、両長孔３ｂ，１ｄは、その伸びる方向が直交する位置関係となっている。
【００３９】
パネル取付用治具３１をやや持ち上げて、前記ボルト７の軸部７ｃを取付梁１の長孔１ｄに挿通してナット７ａをねじ込む。このとき、ボルト７は、パネル３の長孔３ｂ内をスライド可能であるから、軸部７ｃが長孔１ｄ内に入り込むことができるように位置合わせが可能である。
また、軸部７ｃは、長孔１ｄ内をその長さ方向に移動可能であるので、パネル３を橋軸直角方向に位置合わせできる。
【００４０】
前記ナット７ａを締付けることによって、前記パネル３を、前記下フランジ１ｂの下面に宛がった状態にしっかりと固定することができる。また、ボルト７の頭部７ｂは、前記長孔３ｂ内に設けた回り止め（図７には図示せず）によって、回り止めされているので、ナット７ａの締付けには支障がない。
【００４１】
なお、ボルト７の軸部７ｃが上向きであることから、このナット７ａの締付け作業は、作業者が上方から容易に行うことができるので、足場６を撤去した後においても可能である。
【００４２】
前記パネル３が前記取付梁１に固定された後は、パネル取付用治具３１をねじ込んだ方向と反対方向に回すことにより、そのパネル３から取り外すことができる。
【００４３】
他の実施形態を、図９に示す。図９（ａ）に示すパネル取付用治具３１は、前述の実施形態において前記固定部材３０ｂを省略し、係止部材３０ａを直接、前記立上部３１ｂに固定したものである。
係止部材３０ａが下フランジ１ｂに当たって弾性変形（図２（ｂ）参照）することによって、パネル３の持ち上げが容易である点、あるいは、その係止部材３０ａが弾性変形することによって、パネル３が取付梁１に対して弾性をもって支持される点等については、前述の実施形態と同様である。
【００４４】
図９（ｂ）（ｃ）に示す実施形態は、フラットな板状部材からなる係止部材３０ａ’を、直接、前記立上部３１ｂに固定したものである。
係止部材３０ａ’は、鉛直方向の立上部３１ｂに対して水平方向に固定されており、図９（ｃ）に示すように、立上部３１ｂから水平方向に長さＬ１だけ突出している。その係止部材３０ａ’を、立上部３１ｂの軸心に対して実線で示す位置から鎖線で示す位置へと軸周り回転させることによって、その突出長さをＬ１からＬ１’にすることができる。このため、係止部材３０ａ’が下フランジ１ｂを上下方向に通過する際には、係止部材３０ａ’を鎖線で示す位置としておき、下フランジ１ｂの上面に係止する際には、係止部材３０ａ’を実線の位置とすることができる。
【００４５】
なお、係止部材３０ａ’の回転は、立上部３１ｂがパネル３に対してねじ結合されている場合は、その立上部３１ｂをパネル３に対して軸周り回転させることによって、係止部材３０ａ’が立上部３１ｂと一体に回転するようにしてもよいし、あるいは、その係止部材３０ａ’を立上部３１ｂに固定しているナット３１ｃ，３１ｃを緩めることによって、その係止部材３０ａ’の立上部３１ｂの軸心に対する向きを変えるなど、種々の手法を採用できる。
【００４６】
このように、係止部材３０ａ’の取付梁１へ向かう方向への突出長さが可変であるので、例えば、パネル３を持ち上げる際等、係止部材３０ａ’が取付梁１の下フランジ１ｂを通過するときには、図９（ｃ）に鎖線で示す向きにしてその突出長さにしておき、係止部材３０ａ’が取付梁１の下フランジ１ｂを通過した後は、実線に示すようにその向きを変えて、下フランジ１ｂに係止可能な状態とすることができる。
【００４７】
図９（ｄ）（ｅ）に示す実施形態は、立上部３１ｂを短くするとともに、その立上部３１ｂの上端に、軸状の係止部材３０ａ”を水平方向に固定したものである。係止部材３０ａ”は、図９（ｅ）に実線と鎖線で示すように、立上部３１ｂの軸周りに回転可能である。
回転の手法は、係止部材３０ａ’の場合と同様、立上部３１ｂと一体に係止部材３０ａ”を立上部３１ｂの軸周り回転させる構成、立上部３１ｂの回転を伴わず係止部材３０ａ”のみを立上部３１ｂの軸周り回転させる構成等が考えられる。
また、この方法は、取付梁１の真下にあるパネル３を取付けるときなど、治具の立上部３１ｂが取付梁１に干渉して用いることができない場合に使用することもできる。
【００４８】
例えば、パネル３を持ち上げる際等、係止部材３０ａ”が取付梁１の下フランジ１ｂを上下方向に通過するときには、図９（ｅ）に鎖線で示すように、係止部材３０ａ”の突出長さをＬ２’にしておき、係止部材３０ａ”が取付梁１の下フランジ１ｂを通過した後は、実線に示すようにその向きをかえて突出長さをＬ２として、下フランジ１ｂに係止可能な状態とすることができる。
【００４９】
なお、この実施形態では、桁２の構成としてＩ桁が橋軸直角方向に並列した構成について説明したが、他の桁構造、例えば、ボックス桁やコンクリート橋にも有効であり、それ以外にも、床板４をトラス桁で支えた構成などにおいても、この発明のパネルの取付用治具を採用することができる。
【００５０】
また、これらの各実施形態におけるパネル取付用治具３１は、パネル３の新設の場合のみならず、パネル３の交換、撤去の際にも使用できる。
【図面の簡単な説明】
【００５１】
【図１】取付梁にパネルを固定した状態を示す要部拡大図
【図２】図１の要部を示し、（ａ）はパネルを吊り下ろした状態、（ｂ）はパネルを取付梁に仮置きした状態、（ｃ）はパネルを取付梁に固定した状態を示す拡大図
【図３】取付梁へのパネルの固定作業を示す斜視図
【図４】パネル取付用治具をパネルに取付けた状態を示す斜視図
【図５】パネル取付用治具をパネルに取付けた状態を示す斜視図
【図６】係止手段を構成する係止部材と固定部材の部品図
【図７】固定手段の詳細を示し、（ａ）は側面図、（ｂ）は正面図
【図８】（ａ）は吊足場上での作業を、（ｂ）は仮足場上での作業を示す説明図
【図９】（ａ）〜（ｅ）は、他の実施形態のパネル取付用治具を示す説明図
【図１０】従来例の正面図
【図１１】従来の吊足場上での作業を示す説明図
【符号の説明】
【００５２】
１  取付梁
１ａ，２ａ  上フランジ
１ｂ，２ｂ  下フランジ
１ｃ，２ｃ  ウェブ
１ｄ，３ｂ  長孔
２  桁
３  パネル
３ａ  係止孔
３ｃ  嵌合部
３ｄ  係止部
４  床板
５  固定用治具
６  足場（吊足場）
６’  仮足場
７  ボルト
７ａ  ナット
７ｂ  頭部
７ｃ  軸部
１４  縦梁
１５  横梁
２０  固定手段
３０  係止手段
３０ａ，３０ａ’，３０ａ”  係止部材
３０ｂ  固定部材
３０ｃ  根元部
３０ｄ，３０ｆ，３０ｇ  挿通孔
３０ｅ  先端部
３１  パネル取付用治具
３１ａ  把持部
３１ｂ  立上部
３１ｃ，３２ａ  ナット
３２  ボルト
【図１】
2010065468.tif 000003
【図２】
2010065468.tif 000004
【図３】
2010065468.tif 000005
【図４】
2010065468.tif 000006
【図５】
2010065468.tif 000007
【図６】
2010065468.tif 000008
【図７】
2010065468.tif 000009
【図８】
2010065468.tif 000010
【図９】
2010065468.tif 000011
【図１０】
2010065468.tif 000012
【図１１】
2010065468.tif 000013